(57)【要約】【課題】構成や制御を複雑化することなく、可動体を実際の移動経路を超えた長い移動距離に渡って発光しながら移動するが如く表現する。【解決手段】遊技盤面上を移動する可動体３５と、可動体の移動経路の前方に離間配置された透明板６０と、移動経路の少なくとも一方の終端部の延長上の透明板部位に形成されたカットデザイン部６１と、を備え、可動体を発光させつつ、或いは発光させずに進退させる過程で、カットデザイン部を発光させることにより、可動体が一方の終端部を越えてカットデザイン部まで移動したかの如く表現した。【選択図】図１２
2011206307.tif 000002
【特許請求の範囲】
【請求項１】
遊技盤面の前方に該遊技盤面と略並行な移動経路に沿って進退自在に配置される可動体と、該可動体を動作させる駆動機構と、該可動体の移動経路の前方に離間配置された透明板と、前記可動体の移動経路の少なくとも一方の終端部の延長上に相当する該透明板部位に形成されたカットデザイン部と、該カットデザイン部を発光させる固定側ＬＥＤと、制御手段と、を備えた電飾装置であって、
前記制御手段は、前記駆動機構を駆動して前記可動体を進退させる過程で前記固定側ＬＥＤを点灯、或いは点滅させることにより前記可動体が前記カットデザイン部まで移動したかの如く表現するように制御することを特徴とする電飾装置。
【請求項２】
遊技盤面の前方に該遊技盤面と略並行な移動経路に沿って進退自在に配置され且つ可動側ＬＥＤを搭載して発光する可動体と、該可動体を動作させる駆動機構と、該可動体の移動経路の前方に離間配置された透明板と、前記可動体の移動経路の少なくとも一方の終端部の延長上に相当する該透明板部位に形成されたカットデザイン部と、該カットデザイン部を発光させる固定側ＬＥＤと、制御手段と、を備えた電飾装置であって、前記制御手段は、前記可動側ＬＥＤを発光させつつ前記駆動機構を駆動して前記可動体を進退させる際における前記可動側ＬＥＤの消灯タイミングを前記可動体がその移動経路の他方の終端部側から移動してきて一方の終端部に近接した時期とする一方で、前記固定側ＬＥＤの発光開始タイミングを前記可動体が前記一方の終端部に近接して前記可動側ＬＥＤが消灯した時点以降に設定することにより、前記可動体が前記一方の終端部を越えて前記カットデザイン部まで移動したかの如く表現するように制御することを特徴とする電飾装置。
【請求項３】
前記制御手段は、前記固定側ＬＥＤを発光させずに前記駆動機構を駆動して前記可動体を進退させる過程で、前記固定側ＬＥＤを点灯、或いは点滅させることにより前記可動体が前記カットデザイン部まで移動したかの如く表現するように制御することを特徴とする請求項２に記載の電飾装置。
【請求項４】
前記可動体は正面形状が略円形をなし、前記カットデザイン部は、該可動体の外周輪郭線に略相当する円弧状、或いは円形の線と、その内側に位置する同心円状の円弧状、或いは円形の線から構成されていることを特徴とする請求項１、２、又は３に記載の電飾装置。
【請求項５】
前記駆動機構は、前記遊技盤に固定されるモータ、該モータにより回転駆動される駆動ギヤ、該駆動ギヤによって回転駆動される回転板、該回転板によって所定の経路に沿って往復移動させられるカム部材と、を備え、
前記可動体は前記カム部材と一体的に移動する構成を備え、
前記カム部材が前記回転板と対向する面にはカム溝が形成され、該カム溝には該回転板から突設された作動突起が遊嵌することによって該回転板の回転に伴って該カム部材が往復移動するように構成されていることを特徴とする請求項１、２、３、又は４に記載の電飾装置。
【発明の詳細な説明】
【技術分野】
【０００１】
本発明は、部品点数を増やしたり構成を複雑化することなく、実際には短い移動経路しか移動しない可動体を、実際の移動経路を超えた長い移動距離に渡って発光しながら移動するが如く表現することができる電飾装置に関する。
【背景技術】
【０００２】
パチンコ遊技機においては、遊技盤の盤面に入賞口、風車、図柄表示装置、電飾装置等の各種盤面部品を設けて遊技内容の多様性を図っている。そして、遊技盤に設けられた始動入賞口に遊技球が入賞すると、遊技盤中の図柄表示装置に表示される図柄が変動を開始し、所定時間経過後に停止した図柄が予め定めた大当たり図柄となった場合に大当たり状態となり、遊技者が大量の出球を獲得できるようになっている。このような遊技機では、遊技の興趣を高めるために様々な表示演出が行われる。
例えば、遊技の進行中における入賞、その他の状況変化を契機として可動盤面部品を種々の方向に動作させたり、変形させることにより演出効果を高めている（特許文献１、２）。また、遊技盤上における遊技状態の変化等の状況変化を視覚的に表現、報知したり、遊技進行上での電飾効果を図る等の目的から、遊技盤、可動盤面部品、その他任意の部位にＬＥＤランプやフィラメント式ランプ等の発光装置を配置している（特許文献３、４）。
ところで、実際の設計においては、ＬＥＤ等を搭載して所定の軌跡に沿って進退する可動盤面部品の移動距離を長く確保したいという要請がある場合であっても、周辺部品とのレイアウト上の制限から移動距離を短く極限せざるを得ないことがある。このような場合には、遊技進行上の演出にも制限が発生し、遊技の興趣を低下させる原因となっている。このような不具合は、パチンコ遊技機における可動盤面部品の設計において常に発生する問題であるが、これまで有効な対応策は提案されていない。
【先行技術文献】
【特許文献】
【０００３】
【特許文献１】特開２００４−１９５０８４公報
【特許文献２】特開平０６−００７５０９号公報
【特許文献３】特開２００９−０００３０３公報
【特許文献４】特開２００９−０６６２２１公報
【発明の概要】
【発明が解決しようとする課題】
【０００４】
従来は、可動盤面部品の移動距離、移動範囲に制限があることによって演出上の問題が発生する場合であっても有効な対応策は存在せず、可動盤面部品の移動距離を延長することができないことによる演出上の不具合を甘受せざるを得ないことが多々あった。
本発明は上記に鑑みてなされたものであり、構成や制御を複雑化することなく、可動盤面部品を、実際の移動経路を超えた長い移動距離に渡って発光しながら移動するが如く表現することができる電飾装置を提供することを目的としている。
【課題を解決するための手段】
【０００５】
上記目的を達成するため、請求項１の発明に係る電飾装置は、遊技盤面の前方に該遊技盤面と略並行な移動経路に沿って進退自在に配置される可動体と、該可動体を動作させる駆動機構と、該可動体の移動経路の前方に離間配置された透明板と、前記可動体の移動経路の少なくとも一方の終端部の延長上に相当する該透明板部位に形成されたカットデザイン部と、該カットデザイン部を発光させる固定側ＬＥＤと、制御手段と、を備えた電飾装置であって、前記制御手段は、前記駆動機構を駆動して前記可動体を進退させる過程で前記固定側ＬＥＤを点灯、或いは点滅させることにより前記可動体が前記カットデザイン部まで移動したかの如く表現するように制御することを特徴とする。
請求項２の発明に係る電飾装置は、遊技盤面の前方に該遊技盤面と略並行な移動経路に沿って進退自在に配置され且つ可動側ＬＥＤを搭載して発光する可動体と、該可動体を動作させる駆動機構と、該可動体の移動経路の前方に離間配置された透明板と、前記可動体の移動経路の少なくとも一方の終端部の延長上に相当する該透明板部位に形成されたカットデザイン部と、該カットデザイン部を発光させる固定側ＬＥＤと、制御手段と、を備えた電飾装置であって、前記制御手段は、前記可動側ＬＥＤを発光させつつ前記駆動機構を駆動して前記可動体を進退させる際における前記可動側ＬＥＤの消灯タイミングを前記可動体がその移動経路の他方の終端部側から移動してきて一方の終端部に近接した時期とする一方で、前記固定側ＬＥＤの発光開始タイミングを前記可動体が前記一方の終端部に近接して前記可動側ＬＥＤが消灯した時点以降に設定することにより、前記可動体が前記一方の終端部を越えて前記カットデザイン部まで移動したかの如く表現するように制御することを特徴とする。
【０００６】
請求項３の発明に係る電飾装置は、前記制御手段は、前記固定側ＬＥＤを発光させずに前記駆動機構を駆動して前記可動体を進退させる過程で、前記固定側ＬＥＤを点灯、或いは点滅させることにより前記可動体が前記カットデザイン部まで移動したかの如く表現するように制御することを特徴とする。
請求項４の発明に係る電飾装置は、前記可動体は正面形状が略円形をなし、前記カットデザイン部は、該可動体の外周輪郭線に略相当する円弧状、或いは円形の線と、その内側に位置する同心円状の円弧状、或いは円形の線から構成されていることを特徴とする。
請求項５の発明に係る前記駆動機構は、前記遊技盤に固定されるモータ、該モータにより回転駆動される駆動ギヤ、該駆動ギヤによって回転駆動される回転板、該回転板によって所定の経路に沿って往復移動させられるカム部材と、を備え、前記可動体は前記カム部材と一体的に移動する構成を備え、前記カム部材が前記回転板と対向する面にはカム溝が形成され、該カム溝には該回転板から突設された作動突起が遊嵌することによって該回転板の回転に伴って該カム部材が往復移動するように構成されていることを特徴とする。
【発明の効果】
【０００７】
本発明では、可動体の移動経路を所定の範囲に極限する一方で、可動体の移動経路の前面に離間配置した透明板にカットデザイン部を配置し、可動体の移動に合わせてこのカットデザイン部を発光（点灯、消灯）させることによって、可動体が実際の停止位置を越えて配置されたカットデザイン部の位置まで移動したかの如き錯覚を見る者に与えるようにしたので、可動体の移動範囲を実際よりも拡大して見せることができ、極限されたスペース内においても演出上の効果を十分に発揮することができる。
【図面の簡単な説明】
【０００８】
【図１】本発明に係る電飾装置を備えたパチンコ遊技機の遊技盤部分の正面図である。
【図２】遊技盤単体の正面図であり、夫々可動体（小ヨーヨー）の動作手順を示す説明図である。
【図３】遊技盤単体の正面図であり、夫々可動体の動作手順を示す説明図である。
【図４】本発明の一実施形態に係る電飾装置を備えたパチンコ遊技機の正面側の分解斜視図である。
【図５】（ａ）及び（ｂ）は一方の可動体対と透明板上のカットデザイン部との関係を示す斜視図である。
【図６】一方の可動体対の組付け状態を示す正面斜視図である。
【図７】電飾装置の正面分解斜視図である。
【図８】電飾装置の背面側分解斜視図である。
【図９】（ａ）（ｂ）及び（ｃ）は可動体の駆動機構の動作を示す背面図である。
【図１０】（ａ）乃至（ｄ）は駆動機構によって可動体を昇降動作させる手順を示す正面略図である。
【図１１】（ａ）及び（ｂ）は駆動機構によって可動体を昇降動作させる手順を示す正面略図である。
【図１２】（ａ）及び（ｂ）は可動体とカットデザイン部との協働による視覚上の効果を説明するための図である。
【図１３】（ａ）及び（ｂ）は各可動体の移動経路とカットデザイン部との位置関係を示す図である。
【発明を実施するための形態】
【０００９】
以下、本発明を図面に示した実施の形態により詳細に説明する。
図１は本発明に係る電飾装置を備えたパチンコ遊技機の遊技盤部分の正面図であり、図２及び図３は遊技盤単体の正面図であり、夫々小ヨーヨーの動作手順を示している。
遊技盤１の前面側には、ガラス板を支持したガラス枠２が開閉可能に取り付けられている。また遊技盤１の下部には遊技球を貯留する受け皿部３と、受け皿部内の遊技球を発射する発射レバー４が設けられている。また、受け皿部３の上面には遊技機用ボタンスイッチや、遊技球の購入ボタン、購入取り消しボタン（何れも図示せず）が設けられている。
遊技盤１の裏面には、液晶画面、主制御基板とサブ制御基板等、遊技の進行、演出に関わる裏部品を組み付けた合成樹脂製の機構板（何れも図示せず）が開閉自在に装着されている。遊技盤１における遊技領域１ａの周囲には、発射レバー４を操作することにより発射装置から発射された遊技球を遊技領域１ａの上部に案内したり、アウト口１０に案内する外レールＲ１、及び内レールＲ２が設けられている。
遊技盤１のほぼ中央部には、中央が開口したセンター部材５が配置される。センター部材５の内部には図柄表示装置６が配置されている。図柄表示装置６は、例えば、液晶表示装置等の液晶表示パネルによって構成され、通常動作状態の時は、図示しない特別図柄画像が表示される。また、いわゆる特別遊技状態の時は、特別遊技状態であることを示す演出画像等が表示される。本例では、図柄表示装置６の前方に仮面を象った２枚の開閉片７が横方向へ開閉自在に配置されている。
【００１０】
センター部材５の上部には電飾装置３０が設けられている。電飾装置３０は、この例では遊技の進行に関与する役物（可動体）である小ヨーヨーと、小ヨーヨーの前方に離間配置された透明板等から構成されている。
センター部材５の右下方には、図柄表示装置６の特別図柄を可変表示させるための可変入賞装置１１が設けられている。また、可変入賞装置１１の右側には、普通図柄表示装置１６に表示される普通図柄を作動させるためのゲート１２が設けられている。さらに可変入賞装置１１の下方には、特別遊技状態の一つである大当たり状態のときに開成状態になる開閉扉を有する大入賞口１３が設けられている。
可変入賞装置１１は、図柄表示装置６を可変表示させるための左右一対の開閉爪（可動片）を有する電動式チューリップを備えて構成される。
また遊技盤１には普通入賞口１４やアウト口１０等が設けられていると共に、風車１５や図示しない多数の遊技釘が突設されている。遊技釘は、遊技球の落下速度を遅くすると共に、落下方向を複雑に変化させて遊技進行上の興趣を高めている。
普通図柄表示装置１６に表示される普通図柄は、１個または複数個の図柄を変動表示可能であり、普通図柄始動口としてのゲート１２が遊技球を検出することを条件に、その図柄が乱数制御等により所定時間可変して停止するようになっている。
また図柄表示装置６に表示される特別図柄は、停止図柄が予め定められた図柄の組合せ、例えば同一図柄の組合せとなった場合に大当たり状態となるように構成されている。また特別図柄は可変入賞装置の電動式チューリップの開成動作により遊技球が誘導される下始動口（図示していない）において遊技球を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当たり状態が発生する。なお、特別図柄としては、数字図柄、アルファベット図柄、キャラクター図柄等が使用可能である。
【００１１】
図４は本発明の一実施形態に係る電飾装置を備えたパチンコ遊技機の正面側の分解斜視図であり、図５（ａ）及び（ｂ）は一方の小ヨーヨー対と透明板上のカットデザイン部との関係を示す斜視図であり、図６は一方の小ヨーヨー対の組付け状態を示す正面斜視図であり、図７は電飾装置の正面側分解斜視図であり、図８は電飾装置の背面側分解斜視図であり、図９（ａ）（ｂ）及び（ｃ）は小ヨーヨーの駆動機構の動作を示す背面図であり、図１０（ａ）乃至（ｄ）、及び図１１（ａ）（ｂ）は駆動機構によって小ヨーヨーを昇降動作させる手順を示す正面略図であり、図１２は小ヨーヨーとカットデザイン部との協働による視覚上の効果を説明するための図であり、図１３（ａ）及び（ｂ）は各小ヨーヨーの移動経路とカットデザイン部との位置関係を示す図である。
【００１２】
電飾装置３０は、遊技盤１の盤面の前方に遊技盤面と略並行な移動経路（本例では略上下方向）に沿って進退自在に配置され、且つ可動側ＬＥＤ３６を搭載して発光する複数の小ヨーヨー（可動体）３５と、各小ヨーヨー３５を動作させる駆動機構４０と、各小ヨーヨー３５の移動経路の手前側に該移動経路の少なくとも一部を覆うように固定配置された透明板６０と、小ヨーヨーの移動経路の少なくとも一方の終端部（上端部）の延長上に相当する透明板６０に形成されたカットデザイン部６１と、各カットデザイン部６１を発光させるためにその背面側に配置された固定側ＬＥＤ６５と、図示しない制御手段（ＣＰＵ）と、を備えている。
本発明の特徴的な構成は、制御手段が、可動側ＬＥＤ３６を発光させつつ駆動機構４０を駆動して小ヨーヨー３５を進退させる際における可動側ＬＥＤ３６の消灯タイミングを、小ヨーヨー３５がその移動経路の他方の終端部（下端部、又は上端部）側から移動してきて一方の終端部（上端部、又は下端部）に近接した時期とする一方で、固定側ＬＥＤ６５の発光開始タイミングを小ヨーヨーが前記一方の終端部（上端部）に近接して前記可動側ＬＥＤが消灯する時点以降に設定することにより、小ヨーヨーが前記一方の終端部を越えてカットデザイン部６１まで移動したかの如く表現するように制御した点にある。
なお、ここで移動経路の終端部に近接するとは、必ずしも終端部に達して停止することのみを意味せず、終端部に達して停止する直前のタイミングをも含む。また、固定側ＬＥＤ６５を点灯させるタイミングは、対応する小ヨーヨー３５が終端部に近接して消灯すると同時、或いは消灯直後のみならず、小ヨーヨーの消灯直前であってもよい。
また、後述するように可動側ＬＥＤを発光させずに小ヨーヨーを移動させる過程で、カットデザイン部のみを発光（点灯、点滅）させることによって同様の表現を行うことも可能である。
【００１３】
図４に示すように電飾装置３０は、センター部材５、及び透明板６０を搭載した遊技盤１と、図柄表示装置６や開閉片７等を搭載した板裏カバー２０との間に配置される。
電飾装置３０は、遊技盤１に固定されるベース部材３２と、ベース部材３２の中央部に配置された大ヨーヨー３３と、大ヨーヨー３３の両側方のベース部材部分によって個別に昇降自在に支持された２個ずつ、合計４個の小ヨーヨー３５（３５ａ乃至３５ｄ）と、各小ヨーヨー３５ａ、３５ｂと、各小ヨーヨー３５ｃ、３５ｄとを夫々個別に昇降させるための駆動機構４０と、を概略備えている。
ベース部材３２は、前板３２Ａ、中板３２Ｂ、及び後板３２Ｃから構成されている。
カットデザイン部６１は、透明板６０の表面にＶ字溝、或いはＶ字突条等からなる略円弧状、或いは円形の線からなるカットラインから構成される。カットラインは、小ヨーヨー３５の形状を象っており、小ヨーヨーの外周輪郭線に略相当する円弧状、或いは円形の線と、その内側に位置する同心円状の円弧状、或いは円形の線から構成されている。つまり、カットラインは、小ヨーヨーの外形輪郭、及び模様を模すように形成される。このカットラインが可動側ＬＥＤ３６からの光によって線状に発光することにより、小ヨーヨーがそこにあるような錯覚をもたらすように構成されている。
可動側ＬＥＤ３６を発光させることにより、カットデザイン部６１を構成する円弧状の導光部が発光して小ヨーヨーに似せた輪郭線、形状を透明板６０上に出現させる。
【００１４】
図６は小ヨーヨー３５ａ、３５ｂの正面斜視図であり、各小ヨーヨー３５ａ、３５ｂはクランク状の第１の小ヨーヨー支持部材３７の下端部前面に固定され、第１の小ヨーヨー支持部材３７の上部３７ａはベース部材３２の前板３２Ａの下部に設けた縦長のガイド穴３２ａに沿って上下動自在に支持されている。つまり、第１の小ヨーヨー支持部材３７の上部３７ａは、下部から後方へ向けてＬ字状に屈曲しており、前板３２Ａの前面に沿って上下動する。後述するように第１の小ヨーヨー支持部材３７は、前板３２Ａ及びプリント基板３８を間に挟んで、第２の小ヨーヨー支持部材３９と連結され、両小ヨーヨー支持部材はガイド穴３２ａに沿って上下動する。
図７に示すように第１の小ヨーヨー支持部材３７の背面側にはＬＥＤ３８ａを前面に搭載したプリント基板３８が配置される。プリント基板３８の背面側には、第１の小ヨーヨー支持部材３７の下部にある被連結部３７ｂと連結される連結部３９ａを下部に有した第２の小ヨーヨー支持部材３９が配置される。プリント基板３８には各ガイド穴３２ａと対応する切欠き３８ｂが形成されている。つまり、第１の小ヨーヨー支持部材３７の背面には第２の小ヨーヨー支持部材３９が固定され、小ヨーヨーと一体化される。プリント基板３８が固定された前板３２Ａは、中板３２Ｂ、後板３２Ｃと一体化されて遊技盤に固定され、前板３２Ａ及びプリント基板３８を間に挟んで小ヨーヨー及び第１の小ヨーヨー支持部材３７と、第２の小ヨーヨー支持部材３９が上下動自在に構成されている。
なお、図８中では、前板３２Ａとプリント基板３８は図示を省略している。
【００１５】
駆動機構４０は、モータ４５、駆動ギヤ４７、回転板４３、カム部材４１から概略構成されている。
即ち、第２の小ヨーヨー支持部材３９の背面側には、中板３２Ｂ、中板３２Ｂにより上下動自在に支持された２つのカム部材４１、ギヤ付きの回転板４３、モータ４５、駆動ギヤ４７、後板３２Ｃ等が順次配置されている。
中板３２Ｂには、幅の大きいガイド長穴４９ａと、幅の狭いスリット状のガイド長穴４９ｂとからなるガイド長穴対が２組平行に形成されており、前方に位置する第２の小ヨーヨー支持部材３９の突起状の上部連結部３９ｂが各ガイド長穴４９ａ内に上下動自在に嵌合し、上部連結部３９ｂは各カム部材４１の前面の一端寄り位置に突設した筒状の突起４１ａと連結されている。また、各カム部材４１の前面の他端寄り位置には夫々板状の小突条４１ｂが前方へ向けて突設されており、各小突条４１ｂは他方のガイド長穴４９ｂに上下動自在に嵌合している。このため、各カム部材４１はその姿勢を維持したまま各長穴４９ａ、４９ｂに沿って上下動する。
【００１６】
各カム部材４１の背面側に夫々配置された回転板４３は、円板４３ａと、円板４３ａの背面に同心円状に固定されたギヤ部４３ｂと、円板４３ａの外周から外径方向へ突設されたセンサ被検知部４３ｃと、を備え、その中心部を後板３２Ｃによって回転自在に軸支されている。また、円板４３ａの前面の偏心位置には各カム部材４１の上部に設けた略円弧状のカム溝４１ｃ内に遊嵌する作動突起４３ｄが突設されている。従って、回転板４３の回転によって円を描いて回転移動する作動突起４３ｄがカム溝４１ｃ内を相対的に移動することによって、各カム部材４１は各長穴４９ａ、４９ｂにガイドされながら上下動する。
各回転板４３のギヤ部４３ｂは、後板３２Ｃによって支持されたモータ４５の出力軸に固定された駆動ギヤ４７と常時噛合しており、各回転板４３はモータによって回転駆動される。モータ４５は、図示しない制御手段よって制御される。
円板４３ａから突出したセンサ被検知部４３ｃは、後板３２Ｃに固定されたセンサ４４（フォトインタラプタ）によって検知され、センサによる検知情報は制御手段に送出されて各小ヨーヨーがどの高さ位置（上昇位置、下降位置）にあるかを判定する際の情報として利用される。なお、センサ被検知部４３ｃは、一方の回転板のみに設けられている。隣接する２つの回転板は、共通のモータによって駆動されているため、一方のみの回転角度を検知すれば、２つの小ヨーヨーの高さ位置を知ることができるからである。
【００１７】
組立てに際しては、図７、図８に示すように、モータ４５を備えた後板３２Ｃに回転板４３のギヤ部４３ｂの軸部を回転自在に軸支し、中板３２Ｂによって夫々上下動自在に支持されたカム部材４１の背面のカム溝４１ｃ内に回転板４３の作動突起４３ｄを遊嵌させる。カム部材４１の突起４１ａはガイド長穴４９ａを介して小ヨーヨー支持部材３９の上部連結部３９ｂと連結される。第２の小ヨーヨー支持部材３９は、小ヨーヨー３５（第１の小ヨーヨー支持部材３７）と一体化されているため、各カム部材の４１上下動に連動して各小ヨーヨー３５も上下動する。
本例では、各小ヨーヨー３５ａ〜３５ｄは、図２、図３に矢印で示すように、２つの小ヨーヨー３５ａと３５ｂ、２つの小ヨーヨー３５ｃと３５ｄが夫々異なった方向に動作するように構成されている。また、左側の小ヨーヨー３５ａと３５ｄ、右側の小ヨーヨー３５ｂ、３５ｃが同じ方向へ動作するように構成されている。但し、この各小ヨーヨーの動作方向の組合せは一例に過ぎない。
【００１８】
次に、図９、図１０、図１１に基づいて駆動機構が小ヨーヨーを昇降動作させる手順について説明する。
図９（ａ）（ｂ）及び（ｃ）はカム溝４１ｃ内に嵌合した作動突起４３ｄが回転移動する過程で小ヨーヨーが上下動する状態を背面側から示した図である。図９（ａ）では一方の作動突起４３ｄが下側に位置しているために対応するカム部材４１及び小ヨーヨー３５が下降位置にあり、他方の作動突起４３ｄが上側に位置しているため対応するカム部材４１及び他方の小ヨーヨー３５ｂが上昇位置にある。また、（ｂ）では両作動突起４３ｄ及び対応する両カム部材４１が中間高さ位置にあるため両小ヨーヨー３５ａ、３５ｂが中間高さ位置にある。また、（ｃ）では一方の作動突起４３ｄが上側に位置しているために対応するカム部材４１及び小ヨーヨー３５ａが上昇位置にあって、他方の小ヨーヨー３５ｂが下降位置にある。
【００１９】
図１０（ａ）乃至（ｄ）、及び図１１（ａ）（ｂ）は、回転板（作動突起）４３と、突起４１ａ、ガイド長穴４９ａ、小ヨーヨー支持部材３９（３７）、及び一つの小ヨーヨー３５の動作手順を示す正面図である。
本例では、回転板４３が時計回り方向へ一回転する過程における各部材の動作を示しており、図１０（ａ）の状態では小ヨーヨーは最上部の少し下側に位置している。図１０（ａ）から（ｂ）の状態（小ヨーヨーが最上部にある）へ移行する過程では作動突起４３ｄはカム溝４１ｃの円弧状部内を若干上方に移動するためにカム部材４１及び小ヨーヨー３５は若干上方に移動して最上部に達する。図１０（ｂ）から（ｃ）の状態へ移行する過程ではカム部材４１及び小ヨーヨーは若干下降する。図１０（ｃ）から（ｄ）に移行する過程では、作動突起４３ｄはカム溝４１ｃの右端部４１ｃ’に移動してこの右端部を時計回り方向へ押し付けるため、回転板は同方向へ回転して最下位置に移動する。図１０（ｄ）の状態では小ヨーヨー３５は最下降位置にある。
次いで、図１０（ｄ）から図１１（ａ）に移行する過程では作動突起４３ｄはカム溝の右端部４１ｃ’から時計回り方向へ移動して中央部に達するため、カム部材及び小ヨーヨーは若干上昇し、図１１（ｂ）では図１０（ａ）と同じ状態に戻る。
【００２０】
次に、図１２に基づいて、所定の移動経路に沿って上下動する右側の小ヨーヨー対３５ａ、３５ｂと、各移動経路の延長上に位置する各カットデザイン部６１が発光する手順を説明する。
図１２（ａ）に示すように内側の小ヨーヨー（可動体）３５ａは下降位置（１）と上昇位置（２）との間を上下動すると共に、上昇位置（２）の更に上方に相当する透明板６０面（延長位置（３））にはカットデザイン部６１が形成されている。また、図１２（ｂ）に示すように外側の小ヨーヨー３５ｂは上昇位置（４）と下降位置（５）との間を上下動すると共に、下降位置（５）の下方に相当する透明板６０面（延長位置（６））にはカットデザイン部６１が形成されている。
制御手段は、小ヨーヨー３５ａに搭載されたＬＥＤを発光させた状態で図１２（ａ）に示す下降位置（１）から上昇位置（２）まで小ヨーヨー３５ａを上昇移動させ、上昇位置（２）に達した後で小ヨーヨー３５ａのＬＥＤを消灯させる。続いて小ヨーヨー３５ａのＬＥＤを消灯させた後に固定側ＬＥＤ６５を発光させることによって、上昇位置（２）よりも上方の延長位置（３）にあるカットデザイン部６１を発光させる。すると、小ヨーヨーの動きを目で追っていた遊技者は、上昇位置（２）において小ヨーヨーが停止、消灯した後で、上昇位置（２）を上側に越えた延長位置（３）にあるカットデザイン部６１が発光するのを見て小ヨーヨーが延長位置（３）まで、距離Ｌ分だけ余計に移動したものと、残像現象による錯覚を起こす。
なお、カットデザイン部６１の形成位置（３）は、下降位置（１）と上昇位置（２）を結ぶ直線の延長上であってもよいし、この直線から横方向にずれた位置であってもよい。このことは、他の全ての小ヨーヨーとカットデザイン部との関係について同様に当てはまる。
【００２１】
次に、制御手段は、図１２（ｂ）に示した小ヨーヨー（可動体）３５ｂについては、小ヨーヨー３５ｂに搭載されたＬＥＤを発光させた状態で図１２（ｂ）に示す上昇位置（４）から下降位置（５）まで小ヨーヨー３５ａを下降させ、下降位置（５）に達した後で小ヨーヨー３５ａのＬＥＤを消灯させる。続いて小ヨーヨー３５ａのＬＥＤを消灯させた後に固定側ＬＥＤ６５を発光させることによって、下降位置（５）よりも下方の延長位置（６）にあるカットデザイン部６１を発光させる。すると、小ヨーヨーの動きを目で追っていた遊技者は、下降位置（５）において小ヨーヨーが停止、消灯した後で、下降位置（５）を越えた下方位置にあるカットデザイン部６１が発光するのを見て小ヨーヨーが延長位置（６）まで、距離Ｌだけ余計に移動したものと、残像現象による錯覚を起こす。
【００２２】
次に、図１３（ａ）（ｂ）は所定の移動経路に沿って上下動する左側の小ヨーヨー対３５ｃ、３５ｄと、各移動経路の延長上に位置する各カットデザイン部６１が発光する手順を示している。内側の小ヨーヨー（可動体）３５ｃは、前記小ヨーヨー３５ａと同様に実際には下降位置（１）から上昇位置（２）に移動して停止するに過ぎないが、小ヨーヨー３５ｃに搭載したＬＥＤと、延長位置（３）にあるカットデザイン部６１の固定側ＬＥＤ６５を発光させるタイミングを上記のように制御することにより、距離Ｌ分だけ余計に移動した如き錯覚を見る者に与える。
外側の小ヨーヨー（可動体）３５ｄは、前記小ヨーヨー３５ｂと同様に実際には上昇位置（４）から下降位置（５）に移動して停止するに過ぎないが、小ヨーヨー３５ｄに搭載したＬＥＤと、延長位置（６）にあるカットデザイン部６１の固定側ＬＥＤ６５を発光させるタイミングを上記のように制御することにより、距離Ｌ分だけ余計に移動した如き錯覚を見る者に与える。
【００２３】
このように本発明によれば、構成や制御を複雑化することなく、可動盤面部品を、実際の移動経路を超えた長い移動距離に渡って発光しながら移動するが如く表現することができる。
即ち、従来の電飾装置の実際の設計においては、ＬＥＤ等を搭載して所定の軌跡に沿って進退する可動盤面部品（可動体）の移動距離を長く確保したいという要請がある場合であっても、周辺部品とのレイアウト上の制限から移動距離を短く極限せざるを得ないことがあり、演出上の不具合を甘受せざるを得ないことが多々あった。このような場合には、遊技進行上の演出にも制限が発生し、遊技の興趣を低下させる原因となっている。このような不具合は、パチンコ遊技機における可動盤面部品の設計において常に発生する問題であるが、これまで有効な対応策は提案されていなかった。
【００２４】
これに対して本発明では、可動体の移動経路を所定の範囲に極限する一方で、可動体の移動経路の前面に離間配置した透明板にカットデザイン部を配置し、可動体が停止、消灯するタイミングに合わせて（停止、消灯直前、停止、消灯と同時、或いは停止、消灯直後に）、このカットデザイン部を発光させることによって、可動体が実際の停止位置を越えて配置されたカットデザイン部の位置まで移動したかの如き錯覚を見る者に与えるようにしたので、可動体の移動範囲を実際よりも拡大して見せることができ、極限されたスペース内においても演出上の効果を十分に発揮することができる。
なお、上記実施形態では可動体としての小ヨーヨーを発光させながら移動させる過程で、固定側ＬＥＤを発光させるタイミングを制御することによって、恰も可動体がカットデザイン部まで移動したかの如く表現する制御例を示したが、可動側ＬＥＤを消灯させることにより小ヨーヨーを発光させない状態で移動させつつ、固定側ＬＥＤを適度に発光（点灯、点滅）させてカットデザイン部を発光させることによっても、恰も可動体がカットデザイン部まで移動したかの如く表現するように制御することは可能である。
このように可動体としての小ヨーヨーを発光させなくとも、上記の如き制御が可能となるので、可動体は必ずしもＬＥＤを搭載している必要はない。
なお、本発明は、電飾装置と遊技盤からなる遊技盤ユニット、及びこの遊技盤ユニットを備えたパチンコ遊技機に適用することができる。
【符号の説明】
【００２５】
１…遊技盤、１ａ…遊技領域、２…ガラス枠、３…皿部、４…発射レバー、５…センター部材、７…開閉片、１０…アウト口、１１…可変入賞装置、１２…ゲート、１３…大入賞口、１４…普通入賞口、１５…風車、１６…普通図柄表示装置、２０…板裏カバー、３０…電飾装置、３２…ベース部材、３２…中板、３２Ａ…前板、３２Ｂ…中板、３２Ｃ…後板、３２ａ…ガイド穴、３３…大ヨーヨー、３５、３５ａ〜３５ｄ…可動体（小ヨーヨー）、３６…可動側ＬＥＤ、３７…小ヨーヨー支持部材、３７ａ…上部、３７ｂ…被連結部、３８…プリント基板、３８ａ…ＬＥＤ、３９…小ヨーヨー支持部材、３９ａ…連結部、３９ｂ…上部連結部、４０…駆動機構、４１…カム部材、４１ａ…突起、４１ｂ…小突条、４１ｃ…カム溝、４１ｃ’…右端部、４３…回転板、４３ａ…円板、４３ｂ…ギヤ部、４３ｃ…センサ被検知部、４３ｄ…作動突起、４４…センサ、４５…モータ、４７…駆動ギヤ、４９ａ…ガイド長穴、４９ｂ…ガイド長穴、５１…カットデザイン部、６０…透明板、６１…カットデザイン部、６５…固定側ＬＥＤ
【図１】
2011206307.tif 000003
【図２】
2011206307.tif 000004
【図３】
2011206307.tif 000005
【図４】
2011206307.tif 000006
【図５】
2011206307.tif 000007
【図６】
2011206307.tif 000008
【図７】
2011206307.tif 000009
【図８】
2011206307.tif 000010
【図９】
2011206307.tif 000011
【図１０】
2011206307.tif 000012
【図１１】
2011206307.tif 000013
【図１２】
2011206307.tif 000014
【図１３】
2011206307.tif 000015